(57)【要約】【課題】ボタン式登山用多段ステッキの連結管脱離防止構造を提供する。【解決手段】下部に係合端が形成された固定ギャップ１０３が結合されており、外周面に係止孔１０２が形成されている外側連結管１０１と、外側連結管１０１に内挿されて長さを調節できる内側連結管１１１と、内側連結管１１１の上部に結合されて外側連結管１０１の内周面を押圧する押圧ギャップ１２１が形成された支持体１２２と、支持体１２２内部の凹溝１２３に弾設された弾性部材１２６の弾性力により通孔１１３を貫通して外側連結官１０１の係止孔１０２に挿入または分離されて、ロック及びアンロックを行うボタン１２７を備えるボタン式登山用多段ステッキにおいて、支持体１２２の底面から下方に延設される弾性片１２４を形成し、弾性片１２４の下段には密着片１２５を形成し、密着片１２５が外側連結管１０１と接触するように内側連結管１１１に通孔１１３を形成した構造を有する。【選択図】図３
2010088871.tif 000002
【特許請求の範囲】
【請求項１】
下部に係合端が形成された固定ギャップが結合されており、外周面には係止孔が形成されている外側連結管と、前記外側連結管に内挿されて長さを調節できる内側連結管と、前記内側連結管の上部に結合されて前記外側連結管の内周面を押圧する押圧ギャップが形成された支持体と、前記支持体内部の凹溝に弾設された弾性部材の弾性力により通孔を貫通して前記外側連結管の係止孔に挿入または分離されて、ロック及びアンロックを行うボタンを備えるボタン式登山用多段ステッキにおいて、
前記内側連結管が前記外側連結管から脱離することを防止するために、前記内側連結管の支持体の底面から下方に延設される弾性片と、
前記弾性片の弾性力により前記外側連結管の内周面と密着するように前記弾性片の下段に形成される密着片と、
前記密着片が前記外側連結管と接触するように前記内側連結管に形成される通孔と、
を備えることを特徴とする、ボタン式登山用多段ステッキの連結管脱離防止構造。
【請求項２】
前記密着片が、移動中に前記外側連結管の係止孔に係合しないように、前記密着片の面積を前記外側連結管に形成された前記係止孔の面積より広く形成することを特徴とする、請求項１に記載のボタン式登山用多段ステッキの連結管脱離防止構造。
【発明の詳細な説明】
【技術分野】
【０００１】
本発明は、登山用多段ステッキに関するもので、特に、下部に係合端が形成された固定ギャップが結合されており、外周面に係止孔が形成されている外側連結管と、外側連結管に内挿されて長さを調節できる内側連結管と、内側連結管の上部に結合されて外側連結管の内周面を押圧する押圧ギャップが形成された支持体と、支持体内部の凹溝に弾設された弾性部材の弾性力により通孔に出没して外側連結官の係止孔に挿入または分離されてロック及びアンロックを行うボタンを備えるボタン式登山用多段ステッキに関するものである。
【背景技術】
【０００２】
従来のボタン式登山用多段ステッキの構造を図１及び図２に示した。
【０００３】
従来技術による多段ステッキは、上部に配置される外側連結管１及び外側連結管１内に内挿される内側連結管１１を備える。これらの連結管の連結構造を見れば、外側連結管１の下部には係合端４が形成された固定ギャップ３が結合されており、外周面には係止孔２が形成されている。外側連結管１内に内挿されて長さを調節できる内側連結管１１の内側上部には支持体１４が設けられ、支持体１４の上段には外側連結管１の内周面を押圧する押圧ギャップ１３が形成される。また、外側連結管１と内側連結管１１の固定及び分離のために、内側連結管１１には通孔１２が形成され、外側連結管１には係止孔２が形成される。また、支持体１４の下部に弾設された弾性部材２１の弾性力により通孔１２を貫通して外側連結管１の係止孔２に挿入または分離されて、ロック及びアンロックを行うボタン２２を備える。
【０００４】
このような従来の多段ステッキにおいて、図１に示すようにボタン２２が外側連結管１の係止孔２に挿入されている状態でボタン２２を押して内側連結管１１を上方に押し上げると、ボタン２２が弾性部材２１を圧縮しながら外側連結管１の内周面と接触するので、内側連結管１１の長さを外側連結管１内で調節できる。
【０００５】
そして、内側連結管１１を所要の長さまで移動させて調節した後には、圧縮されていたボタン２２が外側連結管１に形成された他の係止孔２に挿入されるので、調節した長さを維持できるようになる。
【０００６】
しかし、上記の従来技術は円筒状の外側連結管１の内部に円筒状の内側連結管１１が内挿される構成であるため、ボタン２２を圧縮して移動するうち、内側連結管１１が直線上に移動せず、若干ずつ回転しながら移動するため、次回の係止孔２とボタン２２とを位置合わせすることが難しい。
【０００７】
したがって、内側連結管１１を大まかに移動させた後、内側連結管１１を押したり引っ張ったりしながら、または内側連結管１１を左側や右側方向に若干ずつ回転させながら圧縮されているボタン２２を係止孔２に係合しなければならないため、非常に不便で、且つ面倒である。
【０００８】
また、内側連結管１１を外側連結管１の下部に引っ張りすぎた場合や折り込まれた状態で他の物体に内側連結管１１の先端部が係止された場合には、内側連結管１１の通孔１２に挿入されたボタン２２が圧縮された状態で移動するうち、結局は外側連結管２の固定ギャップ３に形成された係合端４を乗り越して、図２に仮想線（１点鎖線）で示すように、内側連結管１１が外側連結管１から完全に分離されてしまう問題点が発生する。
【０００９】
このように、内側連結管１１が外側連結管１から容易に分離されるため、内側連結管１１の頻繁な紛失を招き、ステッキの信頼度が低下するなどの問題点を有している。
【発明の概要】
【発明が解決しようとする課題】
【００１０】
そこで、本発明は、このような従来の問題点を解決するためになされたもので、内側連結管の支持体に設けられた弾性片下段の密着片が外側連結管に結合された固定ギャップの係合端に係合されて移動を阻止し、内側連結管が外側連結管から脱離することを防止でき、密着片が固定ギャップの係合端に係合された状態で内側連結管を回転させると、圧縮されていたボタンが自動的に外側連結管の係止孔に挿入されてロック状態を維持できるので、容易にボタンを係止孔に結合させることができるボタン式登山用多段ステッキの連結管脱離防止構造を提供することにその目的がある。
【課題を解決するための手段】
【００１１】
上記の課題を解決するために、本発明に係るボタン式登山用多段ステッキの連結管脱離防止構造は、下部に係合端が形成された固定ギャップが結合されており、外周面には係止孔が形成されている外側連結管と、前記外側連結管に内挿されて長さを調節できる内側連結管と、前記内側連結管の上部に結合されて外側連結管の内周面を押圧する押圧ギャップが形成された支持体と、前記支持体内部の凹溝に弾設された弾性部材の弾性力により通孔を貫通して外側連結管の係止孔に挿入または分離されて、ロック及びアンロックを行うボタンを備えるボタン式登山用多段ステッキにおいて、前記内側連結管が外側連結管から脱離することを防止するために、内側連結管の支持体の底面から下方に延設される弾性片と、前記弾性片の弾性力により外側連結管の内周面と密着するように弾性片の下段に形成される密着片と、前記密着片が外側連結管と接触するように内側連結管に形成される通孔を備えることを特徴とする。
【００１２】
ここで、前記密着片が移動中に外側連結管の係止孔に係合しないように、密着片の面積を外側連結管に形成された係止孔の面積より広く形成することが好ましい。
【発明の効果】
【００１３】
このように構成した本発明のボタン式登山用多段ステッキによれば、内側連結管の支持体に設けられた弾性片下段の密着片が外側連結管に結合された固定ギャップの係合端に係合されて移動を阻止し、内側連結管が外側連結管から脱離することを防止できる。
【００１４】
また、密着片が固定ギャップの係合端に係合された状態で内側連結管を回転させると、圧縮されていたボタンが自動的に外側連結管の係止孔に挿入されてロック状態を維持できるので、容易にボタンを係止孔に結合させることができる。
【図面の簡単な説明】
【００１５】
【図１】従来のボタン式多段ステッキの構成を一部切欠して示した断面図である。
【図２】従来のボタン式多段ステッキの脱離現象を説明するための図面である。
【図３】本発明のボタン式多段ステッキの構成を一部切欠して示した断面図である。
【図４】本発明のボタン式多段ステッキの作用を説明するために一部切欠して示した図面である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
本発明のボタン式登山用多段ステッキの連結管脱離防止構造は、下部に係合端が形成された固定ギャップが結合されており、外周面に係止孔が形成されている外側連結管と、外側連結管に内挿されて長さを調節できる内側連結管と、内側連結管の上部に結合されて外側連結管の内周面を押圧する押圧ギャップが形成された支持体と、支持体内部の凹溝に弾設された弾性部材の弾性力により通孔に出没して外側連結官の係止孔に挿入または分離されてロック及びアンロックを行うボタンを備えるボタン式登山用多段ステッキにおいて、支持体の底面から下方に延設される弾性片を形成し、弾性片の下段には外側連結管に形成された係止孔の面積より広い面積を有する密着片を形成し、弾性片の弾性力により外側連結管の内周面と密着させた後、密着片が外側連結管と接触するように内側連結管に通孔を形成した構造を有することによって、密着片が外側連結管に結合された固定ギャップの係合端に係合されてその移動を阻止し、内側連結管が外側連結管から脱離することを防止でき、密着片が固定ギャップの係合端に係合された状態で内側連結管を回転させると、圧縮されていたボタンが自動的に外側連結管の係止孔に挿入されてロック状態を維持できるので、容易にボタンを係止孔に結合させることができるボタン式登山用多段ステッキの連結管脱離防止構造である。以下、添付図面を参照して本発明の一実施形態のボタン式登山用多段ステッキの連結管脱離防止構造についてより詳細に説明する。
【００１８】
図３に示すように、本実施形態に係るボタン式登山用多段ステッキは、下部に係合端１０４が形成された固定ギャップ１０３が結合されており、外周面に係止孔１０２が形成されている外側連結管１０１と、外側連結管１０１に内挿されて長さを調節できる内側連結管１１１と、内側連結管１１１の上部に結合されて外側連結管１０１の内周面を押圧する押圧ギャップ１２１が形成された支持体１２２と、支持体１２２内部の凹溝１２３に弾設された弾性部材１２６の弾性力により通孔１１２を貫通して外側連結管１０１の係止孔１０２に挿入または分離されて、ロック及びアンロックを行うボタン１２７を備えている。
【００１９】
このような構成の多段ステッキにおいて、内側連結管１１１が外側連結管１０１から脱離することを防止するための構成を見れば、支持体１２２の底面から下方に延設される弾性片２４と、この弾性片２４の弾性力により外側連結管１０１の内周面と密着するように弾性片２４の下段部に形成される密着片１２５と、密着片１２５が外側連結管１０１と接触するように内側連結管１１１に形成される通孔１１３を備えている。
【００２０】
そして、本実施形態では、密着片１２５が移動中に外側連結管１０１の係止孔１０２に係合しないように、密着片１２５の面積を外側連結管１０１の係止孔１０２面積より広く形成させている。ただし、本発明の多段ステッキの連結管脱離防止構造では、必ずしも、密着片１２５の面積を外側連結管１０１の係止孔１０２面積より広く形成しなくてもよい。
【００２１】
このように構成した本実施形態の多段ステッキの作用について説明すれば次の通りである。
【００２２】
まず、本実施形態の多段ステッキは、図３に示すようにボタン１２７が外側連結管１０１の係止孔１０２に挿入されている状態で、ボタン１２７を押して内側連結管１１１を上方に押し上げると、ボタン１２７が支持体１２２の凹溝１２３内に弾設されているコイルバネなどの弾性部材１２６を圧縮しながらその先端が外側連結管１０１の内周面と接触する。このようにボタン１２７が係止孔１０２から離脱することによって、外側連結管１０１に対する内側連結管１１１の拘束状態を解除し、内側連結管１１１の長さを外側連結管１０１の長さ範囲内で調節できる。
【００２３】
そして、内側連結管１１１を所要の長さまで移動させて調節した後には、圧縮されていたボタン１２７が外側連結管１０１に形成された他の係止孔１０２に挿入されるので、外側連結管１０１と内側連結管１１１を互いに拘束して調節したステッキの長さを維持できる。
【００２４】
また、本実施形態では、密着片１２５の面積を外側連結管１０１に形成された係止孔１０２の面積より広く形成させることによって、密着片１２５が内側連結管１１１と共に移動中に、外側連結管１０１の係止孔１０２に係合しないで通過できるようになる。
【００２５】
そして、密着片１２５と支持体１２２を連結している弾性片２４は密着片１２５に弾性力を与えるので、通孔１１３に結合された密着片１２５が外側連結管１０１の内面に密着された状態で移動できるようになる。
【００２６】
また、内側連結管１１１を外側連結管１０１の下部に引っ張りすぎた場合や縮んだ状態で、他の物体に内側連結管１１１の先端部が係合された場合には、図３に示すように、内側連結管１１１の通孔１１３に挿入された密着片１２５が外側連結管１０１の先端部に結合された固定ギャップ１０３の係合端１０４に係止するので、内側連結管１１１が外側連結管１０１から脱離することを防止できる。
【００２７】
そして、密着片１２５が係合端１０４に係合された状態、すなわち内側連結管１１１の移動中に発生する回転力によりボタン１２７が外側連結管１０１の反対側において、図４に示すように位置しても内側連結管１１１を左側や右側方向に回転をさせると、ボタン１２７は密着片１２５の支持により係止孔１０２と同一線上に位置するので、容易にボタン１２７を係止孔１０２に合せて容易に挿入させることができる。
【００２８】
したがって、内側連結管１１１の紛失を防止することができて多段ステッキの信頼度を向上させることができる。
【００２９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００３０】
以上のように本発明によれば、内側連結管の支持体に設けられた弾性片下段の密着片が外側連結管に結合された固定ギャップの係合端に係合されて移動を阻止し、内側連結管が外側連結管から脱離することを防止できる。また、密着片が固定ギャップの係合端に係合された状態で内側連結管を回転させると、圧縮されていたボタンが自動的に外側連結管の係止孔に挿入されてロック状態を維持できるので、容易にボタンを係止孔に結合させることができる。従って、本発明の産業利用性はきわめて高いものといえる。
【符号の説明】
【００３１】
１０１  外側連結管
１０２  係止孔
１０３  固定ギャップ
１０４  係合端
１１１  内側連結管
１１２  通孔
１１３  通孔
１２１  押圧ギャップ
１２２  支持体
１２３  凹溝
１２４  弾性片
１２５  密着片
１２６  弾性部材
１２７  ボタン
【図１】
2010088871.tif 000003
【図２】
2010088871.tif 000004
【図３】
2010088871.tif 000005
【図４】
2010088871.tif 000006